(57)【要約】【課題】本発明は、カーテンの洗濯時にガイド環体が引紐と共に縺れることを防止でき、洗濯後のカーテンにガイド環体を簡単に取付けることができ、更には、外観体裁を良好に保つことができ、耐久性に優れ、製造容易で安価なガイド環付きテープを備えたカーテンの提供を課題とする。【解決手段】カーテン生地と、その上下方向に設けられる雄スナップと、ガイド環体を雄スナップと対応する雌側テープ基材に列設したガイド環付きテープと、ガイド環体のガイド環に通す引紐を備え、ガイド環体の基体貫通穴内に雄スナップに対応する係止部を有し、雄スナップは雄側テープ基材に列設した雄スナップテープとしてカーテン生地に取着し、ガイド環体の基体貫通穴の内壁周囲の一部に係合段部を設け雄スナップの雄係合子と離脱可能としカーテン生地に取着した雄スナップテープと、引紐を通したガイド環付きテープを着脱可能としたガイド環付きテープを備えたカーテン。【選択図】  図１
2010137078.tif 000002
【特許請求の範囲】
【請求項１】
カーテン生地と、該カーテン生地の上下方向に設けられる雄スナップと、引紐を通すためのガイド環体を前記雄スナップと対応する雌側テープ基材に列設したガイド環付きテープと、ガイド環体のガイド環に通す引紐を備え、ガイド環体の基体貫通穴内に前記雄スナップに対応する係止部を有する、ガイド環付きテープを備えたカーテンにおいて、
雄スナップは雄側テープ基材に列設した雄スナップテープとして前記カーテン生地に取着し、
前記ガイド環体には、基体貫通穴の内壁周囲の一部に係合段部を設けて、前記雄スナップの雄係合子と離脱可能とし、
カーテン生地に取着した雄スナップテープと、引紐を通したガイド環付きテープを着脱可能としたことを特徴とするガイド環付きテープを備えたカーテン。
【請求項２】
雄スナップの雄係合子の高さ（ｈ）とガイド環体のスナップボタン基体の厚さ寸法（ｄ）とを同一とし、雄係合子と係合段部との係合状態で雄係合子の上端とスナップボタン基体の上端とが同一平面上に配置されることを特徴とする請求項１記載のガイド環付きテープを備えたカーテン。
【請求項３】
ガイド環付きテープの雌側テープ基材は耐熱性合成繊維で形成されるメッシュシートとし、ガイド環体は射出成形によりメッシュシートに固着した構成とした、ガイド環付きテープを備えたカーテンにおいて、
ガイド環体は、基体貫通穴を挟んで対向立設した二本の脚部と、該脚部の上端相互に亘って形成される橋部とからなり、
前記基体貫通穴は、ガイド環体のスナップボタン基体の裏面側から貫通してガイド環の紐通し穴を形成した構成としたことを特徴とする請求項１又は２記載のガイド環付きテープを備えたカーテン。
【発明の詳細な説明】
【技術分野】
【０００１】
本発明は、カーテンの引紐をガイドするガイド環を雌側テープ基材上に列設してなるガイド環付きテープと、該ガイド環付きテープに対応する雄スナップテープと、カーテン生地（特には、引紐を備えたローマンシェードタイプのカーテン）とを備えた、ガイド環付きテープを備えたカーテンに関する。
【背景技術】
【０００２】
周知のように、ローマンシェードタイプのカーテンは、引紐を引くことによってカーテンを上方へ持ち上げて開放を行うものであり、引紐を円滑に動かすために、カーテンの側縁部等にガイド環付きのスナップを列設する。このガイド環付きのスナップの取付けを、カーテンに直接行うことも現在行われているが、手間がかかるため、長尺のテープ上に一定間隔でスナップボタンを列設した、所謂スナップテープが用いられる。
【０００３】
上記スナップテープとしては、例えば、テープ本体の一面に所要の間隔を保って環を起伏自在に付設したテープにおいて、前記環はプラスチックの成型品としてこれにテープ本体の環取付部への取付用嵌合体を備え、テープ本体に形成した環取付部はテープ本体に成型により付設した、雄嵌合体に対応するプラスチック成形の雌嵌合体とし、両嵌合体には嵌合面に、強制離脱可能の係合機構を備えたことを特徴とするカーテン類引き上げ用補助テープ（例えば、特許文献１参照。）が公知である。
【０００４】
【特許文献１】実開昭６３−２７１８５号公報
【発明の開示】
【発明が解決しようとする課題】
【０００５】
上記特許文献１に係る発明は、合成樹脂製の雌スナップをテープ上に配列し、これと係合する雄スナップに引紐用ガイド環を形成した構成であり、当該構成は現在においても多用されている。特許文献１に係る構成は、雌スナップをテープ上に配列してあり、カーテン生地を洗濯するとき等には、雌スナップと係合してある全ての引紐用ガイド環を、雌スナップから脱着する必要が生じる。
【０００６】
そして、雌スナップから取り外した引紐用ガイド環は、引紐の抜け止めによって引紐から外れることこそないものの、引紐に沿って引紐の最下端まで落下し、複数の引紐用ガイド環が無造作に固まった状態となる。このため、再びカーテン生地に取着された雌スナップに対して引紐用ガイド環の雄係合子を取付けるには、引紐の最下端で固まった引紐用ガイド環を一つずつ引紐の最下端から引上げてから、雌スナップに取付けなければならず、労力を伴うこととなる。
【０００７】
本発明は以上の事情に鑑みてなされたものであり、カーテン生地の洗濯時における引紐とカーテン生地の離脱を容易とし、引紐用ガイド環が引紐と共に縺れることを防止でき、洗濯後のカーテンに引紐用ガイド環を簡単に取付けることができ、更には、外観体裁を良好に保つことができ、耐久性に優れ、製造容易で安価なガイド環付きテープを備えたカーテンの提供を、発明が解決しようとする課題とする。
【課題を解決するための手段】
【０００８】
本発明は、カーテン生地と、該カーテン生地の上下方向に設けられる雄スナップと、引紐を通すためのガイド環体を前記雄スナップと対応する雌側テープ基材に列設したガイド環付きテープと、ガイド環体のガイド環に通す引紐を備え、ガイド環体の基体貫通穴内に前記雄スナップに対応する係止部を有する、ガイド環付きテープを備えたカーテンにおいて、雄スナップは雄側テープ基材に列設した雄スナップテープとして前記カーテン生地に取着し、前記ガイド環体には、基体貫通穴の内壁周囲の一部に係合段部を設けて、前記雄スナップの雄係合子と離脱可能とし、カーテン生地に取着した雄スナップテープと、引紐を通したガイド環付きテープを着脱可能としたことを特徴とするガイド環付きテープを備えたカーテンを、課題を解決するための手段とする。
【０００９】
また本発明は、上記発明の構成を前提として、雄スナップの雄係合子の高さ（ｈ）とガイド環体のスナップボタン基体の厚さ寸法（ｄ）とを同一とし、雄係合子と係合段部との係合状態で雄係合子の上端とスナップボタン基体の上端とが同一平面上に配置されることを特徴とするガイド環付きテープを備えたカーテンを、課題を解決するための手段とする。
【００１０】
また本発明は、上記いずれかの発明の構成を前提として、ガイド環付きテープの雌側テープ基材は耐熱性合成繊維で形成されるメッシュシートとし、ガイド環体は射出成形によりメッシュシートに固着した構成とした、ガイド環付きテープを備えたカーテンにおいて、ガイド環体は、基体貫通穴を挟んで対向立設した二本の脚部と、該脚部の上端相互に亘って形成される橋部とからなり、前記基体貫通穴は、ガイド環体のスナップボタン基体の裏面側から貫通してガイド環の紐通し穴を形成した構成としたことを特徴とする請求項１又は２記載のガイド環付きテープを備えたカーテンガイド環付きテープを備えたカーテンを、課題を解決するための手段とする。
【発明の効果】
【００１１】
請求項１に係る発明によれば、カーテン生地と、該カーテン生地の上下方向に設けられる雄スナップと、引紐を通すためのガイド環体を前記雄スナップと対応する雌側テープ基材に列設したガイド環付きテープと、ガイド環体のガイド環に通す引紐を備え、ガイド環体の基体貫通穴内に前記雄スナップに対応する係止部を有する、ガイド環付きテープを備えたカーテンにおいて、雄スナップは雄側テープ基材に列設した雄スナップテープとして前記カーテン生地に取着し、前記ガイド環体には、基体貫通穴の内壁周囲の一部に係合段部を設けて、前記雄スナップの雄係合子と離脱可能とし、カーテン生地に取着した雄スナップテープと、引紐を通したガイド環付きテープを着脱可能とした構成によって、カーテン生地を洗濯する際に、雄スナップテープの雄側テープ基材とガイド環付きテープの雌側テープ基材を指で摘んで引き離すだけで、カーテン生地に取付けられた雄スナップテープの雄係合子と、ガイド環付きテープの基体貫通穴とを離脱でき、非常に簡単な操作でカーテン生地の取り外しを行うことができる。
【００１２】
また、洗濯後、カーテン生地の取付けを行う際には、当該ガイド環付きテープのガイド環が雄側テープ基材に固着されているため、引紐に沿って引紐の最下端まで落下することがなく、常にガイド環付きテープの状態で保持されていることから、一箇所のカーテンに取付けられた雄スナップテープの雄係合子とガイド環付きテープの基体貫通穴を係着すると、他の箇所の雄スナップテープの雄係合子とガイド環付きテープの基体貫通穴が重なる（対応する）位置に位置決めされ、簡単に係着することができる。
【００１３】
また、請求項２に係る発明によれば、上記請求項１に係る発明の構成に加えて、雄スナップの雄係合子の高さ（ｈ）とガイド環体のスナップボタン基体の厚さ寸法（ｄ）とを同一とし、雄係合子と係合段部との係合状態で雄係合子の上端とスナップボタン基体の上端とが同一平面上に配置される構成としたから、上記請求項１に係る発明の作用効果を得た上で、雄係合子の先端がガイド環の紐通し穴内へ突出させることのない構成とすることができ、引紐の挿通を容易とすることができる。また、雄係合子の先端と引紐が擦れることもないため、雄係合子との係合によって引紐の耐久性を低下させることもない。
【００１４】
また請求項３に係る発明によれば、上記請求項１または請求項２に係る発明のいずれかの構成に加えて、ガイド環付きテープの雌側テープ基材は耐熱性合成繊維で形成されるメッシュシートとし、ガイド環体は射出成形によりメッシュシートに固着した構成とした、ガイド環付きテープを備えたカーテンにおいて、ガイド環体は、基体貫通穴を挟んで対向立設した二本の脚部と、該脚部の上端相互に亘って形成される橋部とからなり、前記基体貫通穴は、ガイド環体のスナップボタン基体の裏面から裏面側から貫通してガイド環の紐通し穴を形成した構成としたから、ガイド環１３の紐通し穴を形成するに足りる大きさを確保し、且つ、当該基体貫通穴１２が雌係合子として機能することを可能とし、製造容易で安価なガイド環付きテープを備えたカーテンを提供できる。
【発明を実施するための最良の形態】
【００１５】
本発明は、カーテン生地と、該カーテン生地の上下方向に設けられる雄スナップと、引紐を通すためのガイド環体を前記雄スナップと対応する雌側テープ基材に列設したガイド環付きテープと、ガイド環体のガイド環に通す引紐を備え、ガイド環体の基体貫通穴内に前記雄スナップに対応する係止部を有する、ガイド環付きテープを備えたカーテンにおいて、
雄スナップは雄側テープ基材に列設した雄スナップテープとして前記カーテン生地に取着し、前記ガイド環体には、基体貫通穴の内壁周囲の一部に係合段部を設けて、前記雄スナップの雄係合子と離脱可能とし、カーテン生地に取着した雄スナップテープと、引紐を通したガイド環付きテープを着脱可能とし、
雄スナップの雄係合子の高さ（ｈ）とガイド環体のスナップボタン基体の厚さ寸法（ｄ）とを同一とし、雄係合子と係合段部との係合状態で雄係合子の上端とスナップボタン基体の上端とが同一平面上に配置される構成とし、
ガイド環付きテープの雌側テープ基材は耐熱性合成繊維で形成されるメッシュシートとし、ガイド環体は射出成形によりメッシュシートに固着した構成とした、ガイド環付きテープを備えたカーテンにおいて、ガイド環体は、基体貫通穴を挟んで対向立設した二本の脚部と、該脚部の上端相互に亘って形成される橋部とからなり、前記基体貫通穴は、ガイド環体のスナップボタン基体の裏面側から貫通してガイド環の紐通し穴を形成した構成としたことを特徴とするガイド環付きテープを備えたカーテンとしたことで、
カーテン生地を洗濯する際に、雄スナップテープの雄側テープ基材とガイド環付きテープの雌側テープ基材を指で摘んで引き離すだけで、カーテン生地に取付けられた雄スナップテープの雄係合子と、ガイド環付きテープの基体貫通穴とを離脱でき、非常に簡単な操作でカーテン生地の取り外しを行え、雄係合子の先端がガイド環の紐通し穴内へ突出させることのない構成とすることができ、引紐の挿通を容易とすることができ、雄係合子の先端と引紐が擦れることもないため、雄係合子との係合によって引紐の耐久性を低下させることもなく、ガイド環付きテープの雌側テープ基材は耐熱性合成繊維で形成されるメッシュシートとし、ガイド環体は射出成形によりメッシュシートに固着した構成とし、ガイド環体は、基体貫通穴を挟んで対向立設した二本の脚部と、該脚部の上端相互に亘って形成される橋部とからなり、前記基体貫通穴は、ガイド環体のスナップボタン基体の裏面側から貫通してガイド環の紐通し穴を形成した構成としたから、ガイド環１３の紐通し穴を形成するに足りる大きさを確保し、且つ、当該基体貫通穴１２が雌係合子として機能することを可能とし、製造容易で安価なガイド環付きテープを備えたカーテンを実現した。
【実施例】
【００１６】
図１は本発明の実施例に係るガイド環付きテープを備えたカーテンにおけるカーテン生地とガイド環付きテープを（１）係着する前の状態を示す斜視図、（２）係着後の状態を示す斜視図、図２は本発明の実施例に係るガイド環付きテープを備えたカーテンの裏面を表した説明図、図３は同実施例に係るガイド環付きテープを備えたカーテンを示す一部拡大断面図、図４は同実施例に係るガイド環付きテープを備えたカーテンに使用する当該ガイド環付きテープを示す（１）正面図、（２）背面図、図５は同実施例に係るガイド環付きテープを備えたカーテンに使用するガイド環付きテープを示す（１）平面図、（２）右側面図（左側面図は対称につき省略）、図６は図４（１）におけるＡ−Ａ断面図及びＢ−Ｂ断面図、図７は本発明の実施例に係るガイド環付きテープを備えたカーテンに使用するガイド環付きテープにおけるガイド環体を示す（１）拡大正面図、（２）拡大背面図、図８は同実施例に係るガイド環付きテープを備えたカーテンに使用するガイド環付きテープにおけるガイド環体を示す（１）拡大平面図、（２）拡大右側面図、図９は図７（１）における（１）Ｃ−Ｃ断面図、（２）Ｄ−Ｄ断面図である。
図１０は実施例に係るガイド環付きテープを備えたカーテンのガイド環付きテープと雄スナップテープとを係着した状態を示す（１）正面図、（２）背面図、図１１は同実施例に係るガイド環付きテープと雄スナップテープとを係着した状態を示す（１）平面図（底面図は平面図と対称につき省略。）（２）右側面図（左側面図は右側面図と対称につき省略。）、図１２は本発明の実施例に係るガイド環付きテープと雄スナップテープとを係着した状態を示す図１０（１）における（１）Ｅ−Ｅ断面図、（２）Ｆ−Ｆ断面図、図１３は同実施例に係る雄スナップテープを示す（１）正面図、（２）背面図、図１４は同実施例に係る雄スナップテープを示す（１）平面図（底面図は平面図と対称につき省略。）、及び（２）右側面図（左側面図は右側面図と対称につき省略。）、図１５は本発明の実施例に係るガイド環付きテープを備えたカーテンに使用する図１３（１）における雄スナップテープを示す（１）Ｇ−Ｇ断面図、（２）Ｈ−Ｈ断面図、図１６は本発明の実施例に係るガイド環付きテープを備えたカーテンに使用するガイド環付きテープのガイド環体と雄スナップテープのスナップボタンを係着した状態を示す（１）拡大正面図、（２）拡大背面図、図１７は本発明の実施例に係るガイド環付きテープのガイド環体と雄スナップテープのスナップボタンを係着した状態を示す（１）拡大平面図（拡大底面図は拡大平面図と対称につき省略。）（２）拡大右側面図（拡大左側面図は拡大右側面図と対称につき省略。）、図１８は本発明の実施例に係るガイド環付きテープのガイド環体と雄スナップテープのスナップボタンを係着した状態を示す図１６（１）における（１）拡大Ｊ−Ｊ断面図、（２）拡大Ｋ−Ｋ断面図である。図１９は本発明の実施例に係る雄スナップテープにおけるスナップボタンを示す（１）拡大正面図、（２）拡大背面図、図２０は同実施例に係る雄スナップテープにおけるスナップボタンを示す（１）拡大平面図（拡大底面図は拡大平面図と対称につき省略。）、（２）拡大右側面図（拡大左側面図は拡大右側面図と対称につき省略。）、図２１は同実施例に係る図１９（１）における雄スナップテープにおけるスナップボタンを示す（１）拡大Ｌ−Ｌ断面図、（２）拡大Ｍ−Ｍ断面図である。
【００１７】
以下、実施例に係る発明は、一般的なローマンシェードカーテン３の上下方向に複数のガイド環体１０ａを配置する構成である。ガイド環体１０ａは、基体にガイド環を設けたもので、ガイド環付きテープ１aを有するカーテンを特徴とするものである。
【００１８】
以下に示す実施例は、カーテン３において、カーテン生地３０に間接的に取着したスナップボタン１０ｂと、ガイド環付きテープ１ａのガイド環体１０ａとを係脱自在とした構成を示すものである。
【００１９】
尚、本発明の対象とするカーテンは、引紐を有するカーテンであれば、特にローマンシェードカーテン以外のカーテンであってもよい。また、説明上、符号について、数字の後にａの文字を付記した符号はガイド環付きテープ１ａに関するものとし、数字の後にｂの文字を付した符号は雄スナップテープ１ｂ若しくはカーテン側に取着されたスナップボタン１０ｂに関するものとしている。
【００２０】
本発明の実施例に係るガイド環体を備えたカーテン３は、カーテン生地３０に縫着される雄スナップテープ１ｂと、カーテン生地３０には縫着されず、引紐２を取付ける側となるガイド環付きテープ１ａとを用いた構成である。
【００２１】
本発明の実施例に係るカーテン３に使用するガイド環付きテープは、雌側テープ基材１５ａ上にガイド環体１０ａを列設した構成を有する。具体的には、無色透明の耐熱性合成繊維のメッシュシートからなる長尺の雌側テープ基材１５ａに１０ｃｍ間隔で、貫通穴である位置決め穴１５０を形成し、雌側テープ基材１５ａの表裏面における前記位置決め穴の周縁に表裏夫々６本の固定ピンを用いて図示されないスナップ成型用金型を固定し、該スナップ成型用金型内において射出成形を行うことでガイド環体１０ａを形成する。この際に、耐熱性合成繊維で形成される雌側テープ基材１５ａの細かいメッシュシートの目の中にガイド環体１０ａを形成する溶融した樹脂が入り込み、雌側テープ基材１５ａに対して強固に当該ガイド環体１０ａが固着形成されてなる。
【００２２】
前記ガイド環付きテープ１ａにおけるガイド環体１０ａは、基体１１ａと該基体上に一体に形成されるガイド環１３とからなる。基体１１ａは、幅約１０．５ｍｍ、奥行約９ｍｍ、厚さ２ｍｍ程度の大きさであり、その中央に基体貫通穴１２を備えている。
また、前記基体１１ａの上面に形成されるガイド環１３は、基体貫通穴１２を挟み対向して立設した高さ３．２ｍｍ程度の二本の脚部１３１と、該脚部１３１の上端相互に亘って形成される橋部１３０とからなる。前記基体貫通穴１２の内壁において基体１１ａの下端から１．０５ｍｍの位置には、係合段部１２０を形成してある。係合段部１２０は内壁の全周囲に亘るものではなく、図９（１）（２）に示すように、内壁周囲の一部に形成している。
【００２３】
基体貫通穴１２は、本実施例に係るガイド環１３を形成するために必要な構成であり、基体貫通穴１２が裏面側から金型によって貫通してガイド環１３を形成するため、ガイド環１３の紐通し穴を形成するに足りる大きさを確保し、且つ、当該基体貫通穴１２が雌係合子として機能することを可能とするための構成である。
【００２４】
雄スナップテープ１ｂは、無色透明の耐熱性繊維のメッシュシートから成る長尺の雄側テープ基材１５ｂに１０ｃｍ間隔で位置決め穴を形成し、該位置決め穴の周縁の表裏面に射出成形を行うことで、雄係合子を有するスナップボタン１０ｂを形成してなる。このため耐熱性合成繊維で形成される雄側テープ基材１５ｂの細かいメッシュシートの目の中に、スナップボタン１０ｂを形成する溶融した樹脂が入り込み、雄側テープ基材１５ｂに対して強固にスナップボタン１０ｂが固着形成される。
【００２５】
前記雄係合子を有するスナップボタン１０ｂは、幅約１０．５ｍｍ、奥行約９ｍｍ、厚さ約３ｍｍのスナップボタン基体１１ｂの中央には、該スナップボタン基体１１ｂの上端からの高さが２ｍｍとなる雄係合子１４を設けてある。雄係合子１４の先端には基端側から先端に至る柱状の基部１４１よりも幅径の大きい拡径頭部１４０を形成してある。拡径頭部１４０の下端位置は、スナップボタン基体１１ｂの上端（雄係合子１４の下端）から１．０５ｍｍとしてある。
【００２６】
実施例においては、ガイド環付きテープ１ａにおけるガイド環体１０ａに引紐２を通し、引紐２の下端が当該ガイド環付きテープ１ａの最下端に位置するガイド環体１０ａに結び付けてある。そして、ガイド環体１０ａのガイド環１３内を連続して通し、カーテン３の上方に配置したガイドローラ４に案内し、昇降ロック機構（図示省略）を介して、最終的に一本に束ねた状態として、他端に引き手５を取付ける構成としている。
【００２７】
雄スナップテープ１ｂとガイド環付きテープ１ａの双方の係合子が係着した状態では、カーテン３に引紐２が装着された状態となる。また、雄スナップテープ１ｂとガイド環付きテープ１ａの双方の係合子が脱着した状態で、雄スナップテープ１ｂの雄側テープ基材１５ｂが縫着されたカーテン３が、引紐２から取り外された状態となる構成である。
【００２８】
即ち、本実施例に係るカーテンにおける雄スナップテープ１ｂのスナップボタン１０ｂの雄係合子１４の高さｈとガイド環体１０ａのスナップボタン基体１１ａの厚さ寸法ｄ（図１８（１）参照。）を同一とし且つ雄係合子１４が基体貫通穴１２に嵌り込んだ状態で係止する構成である。このため、雄スナップテープ１ｂのスナップボタン１０ｂとガイド環付きテープ１ａのガイド環体１０ａにおけるスナップボタン基体１１ａとを係合させると、スナップボタン１０ｂの雄係合子１４の上端はガイド環体１０ａのスナップボタン基体１１ａの上端と同一平面上（所謂面一）に配置される。当該構成によってガイド環体１０ａに通した引紐は、雄係合子の干渉を受けず、引紐２に対するガイド環体１０ａの円滑なガイド機能を確保することができる。
【００２９】
以上の構成から、本実施例に係るカーテン３は、洗濯時に引紐を解いて外す必要がなく、専ら、スナップボタン１０ｂの雄係合子１４とガイド環体１０ａの雌係合穴として機能する基体貫通穴１２とを離脱させることによって、雄スナップテープ１ｂが縫着されたカーテン生地３０をガイド環付きテープ１ａから外すことで行なえる。
【００３０】
また、カーテン生地３０の取付けにおいては、雄スナップテープ１ｂに列設されるスナップボタン１０ｂの雄係合子１４とガイド環付きテープ１ａに列設されるガイド環体１０ａの基体貫通穴１２とを係着させることで行える。ガイド環体は引紐に沿って落下することもないから、その取付けも非常に容易に行うことができる。
【００３１】
基体貫通穴の内壁面の少なくとも一部に係合段部を形成したことによって、基体貫通穴が雌係合穴として機能する際に、対応する雄係合子との係止部を前記係合段部とすることで、雄係合子の先端がガイド環の紐通し穴内へ突出させることのない構成とすることができ、引紐の挿通を容易とすることができる。また、雄係合子の先端と引紐が擦れることもないため、雄係合子との係合によって引紐の耐久性を低下させることもない。
【００３２】
また、本実施例においては、雌側テープ基材１５ａ、雄側テープ基材１５ｂは透明のメッシュ地としたことから、カーテン３に取着した状態で、雌側テープ基材１５ａ、雄側テープ基材１５ｂを透過してカーテン３が視認できるため、雌側テープ基材１５ａが非常に目立ちにくくなり、美観を向上させることができる。また、この効果は、カーテン３がレース編みのカーテン３であることで、更に顕著なものとすることができる。
【００３３】
尚、本実施例においては、雌側テープ基材１５ａ、雄側テープ基材１５ｂに列設したテープ貫通穴に対して、基体と該基体の表面側に一体となるガイド環を備えてなるガイド環体を、射出成形によって形成してなり、前記基体には基体貫通穴を形成したことを特徴とするガイド環付きテープとしたことで、非常に容易且つ安価に、基体の表側にガイド環を形成することができる。
【００３４】
尚、本発明は、例えば、本発明に係るガイド環体１０ａのカーテン３に対する取付構造及びこれに用いる雄スナップテープにおいて、スナップボタン１０ｂ及びガイド環体１０ａの大きさ、細部形状、当該スナップボタン１０ｂ及びガイド環体１０ａの間隔、雌側テープ基材１５ａ、雄側テープ基材１５ｂの厚さ、幅、長さ等は対象となるカーテンの大きさ、厚さ、柄等の事項に合わせて自由に設定することができる。
【００３５】
また、カーテン生地３０に対して雄スナップテープ１ｂを取着するに際して、本実施例では縫着により取着したが、縫着に代えて、接着、溶着等により取着することができる。
【００３６】
更に、本発明における雌側テープ基材１５ａ、雄側テープ基材１５ｂは、実施例において無色透明としたが、有色透明とすることができる。色彩は、カーテンの色柄に合わせたものを適宜選択することで、メッシュシートの目から透過するカーテンの色柄と、該カーテンの色彩と同系色の透明のメッシュシートによって、各テープ基材１５ａ、１５ｂを目立たなくさせることができる。
【００３７】
また、基体貫通穴の形状、雄係合子の形状についても上記実施例に限定されるものではなく、例えば、基体貫通穴は係合段部を有さず、拡径頭部を備える雄係合子が基体貫通穴を貫通して、基体貫通穴の表面側縁部分と雄係合子の拡径頭部が係合する構成で、基体貫通穴若しくは雄係合子の弾性変形によって離脱が可能となる構成等とすることもできる。
【図面の簡単な説明】
【００３８】
【図１】本発明の実施例に係るガイド環付きテープを備えたカーテンを示す（１）係着する前の状態を示す斜視図、（２）係着後の状態を示す斜視図である。
【図２】本発明の実施例に係るガイド環付きテープを備えたカーテンの裏面を表した説明図である。
【図３】本発明の実施例に係るガイド環付きテープを備えたカーテンの一部拡大断面図である。
【図４】本発明の実施例に係るガイド環付きテープを備えたカーテンにおけるガイド環付きテープを示す（１）正面図、（２）背面図である。
【図５】本発明の実施例に係るガイド環付きテープを備えたカーテンにおけるガイド環付きテープを示す（１）平面図、（２）右側面図である。
【図６】本発明の実施例に係るガイド環付きテープを備えたカーテンにおけるガイド環付きテープを示す図４（１）におけるＡ−Ａ断面図及びＢ−Ｂ断面図である。
【図７】本発明の実施例に係るガイド環付きテープを備えたカーテンにおけるガイド環付きテープのガイド環体を示す（１）拡大正面図、（２）拡大背面図である。
【図８】本発明の実施例に係るガイド環付きテープを備えたカーテンにおけるガイド環付きテープのガイド環体を示す（１）拡大平面図、（２）拡大右側面図である。
【図９】本発明の実施例に係るガイド環付きテープを備えたカーテンにおけるガイド環付きテープのガイド環体を示す図７（１）における（１）Ｃ−Ｃ断面図、（２）Ｄ−Ｄ断面図である。
【図１０】本発明の実施例に係るガイド環付きテープを備えたカーテンのガイド環付きテープと雄スナップテープとを係着した状態を示す（１）正面図、（２）背面図である。
【図１１】本発明の実施例に係るガイド環付きテープと雄スナップテープとを係着した状態を示す（１）平面図（底面図は平面図と対称につき省略。）（２）右側面図（左側面図は右側面図と対称につき省略。）である。
【図１２】本発明の本発明の実施例に係るガイド環付きテープと雄スナップテープとを係着した状態を示す図１０（１）における（１）Ｅ−Ｅ断面図、（２）Ｆ−Ｆ断面図である。
【図１３】本発明の実施例に係る雄スナップテープを示す（１）正面図、（２）背面図である。
【図１４】本発明の実施例に係る雄スナップテープを示す（１）平面図（底面図は平面図と対称につき省略。）、及び（２）右側面図（左側面図は右側面図と対称につき省略。）である。
【図１５】本発明の実施例に係るガイド環付きテープを備えたカーテンに使用する図１３（１）における雄スナップテープを示す（１）Ｇ−Ｇ断面図、（２）Ｈ−Ｈ断面図である。
【図１６】本発明の実施例に係るガイド環付きテープを備えたカーテンに使用するガイド環付きテープのガイド環体と雄スナップテープのスナップボタンを係着した状態を示す（１）拡大正面図、（２）拡大背面図である。
【図１７】本発明の本発明の実施例に係るガイド環付きテープのガイド環体と雄スナップテープのスナップボタンを係着した状態を示す（１）拡大平面図（拡大底面図は拡大平面図と対称につき省略。）（２）拡大右側面図（拡大左側面図は拡大右側面図と対称につき省略。）である。
【図１８】実施例に係るガイド環付きテープのガイド環体と雄スナップテープのスナップボタンを係着した状態を示す図１６（１）における（１）拡大Ｊ−Ｊ断面図、（２）拡大Ｋ−Ｋ断面図である。
【図１９】本発明の実施例に係る雄スナップテープにおけるスナップボタンを示す（１）拡大正面図、（２）拡大背面図である。
【図２０】本発明の実施例に係る雄スナップテープにおけるスナップボタンを示す（１）拡大平面図（拡大底面図は拡大平面図と対称につき省略。）、（２）拡大右側面図（拡大左側面図は拡大右側面図と対称につき省略。）である。
【図２１】本発明の実施例に係る図１９（１）における雄スナップテープにおけるスナップボタンを示す（１）拡大Ｌ−Ｌ断面図、（２）拡大Ｍ−Ｍ断面図である。
【符号の説明】
【００３９】
１ａ        ガイド環付きテープ
１ｂ        雄スナップテープ
１０ａ      ガイド環体
１０ｂ      スナップボタン
１１ａ      基体
１１ｂ      スナップボタン基体
１２        基体貫通穴
１２０      係合段部
１３        ガイド環
１３０      橋部
１３１      脚部
１４        雄係合子
１４０      拡径頭部
１４１      基部
１５ａ      雌側テープ基材
１５０      位置決め穴
１５ｂ      雄側テープ基材
２          引紐
３          カーテン
３０        カーテン生地
４          ガイドローラ
５          引き手
ｄ          厚さ寸法（基体の厚み）
ｈ          高さ（雄係合子の高さ）
【図１】
2010137078.tif 000003
【図２】
2010137078.tif 000004
【図３】
2010137078.tif 000005
【図４】
2010137078.tif 000006
【図５】
2010137078.tif 000007
【図６】
2010137078.tif 000008
【図７】
2010137078.tif 000009
【図８】
2010137078.tif 000010
【図９】
2010137078.tif 000011
【図１０】
2010137078.tif 000012
【図１１】
2010137078.tif 000013
【図１２】
2010137078.tif 000014
【図１３】
2010137078.tif 000015
【図１４】
2010137078.tif 000016
【図１５】
2010137078.tif 000017
【図１６】
2010137078.tif 000018
【図１７】
2010137078.tif 000019
【図１８】
2010137078.tif 000020
【図１９】
2010137078.tif 000021
【図２０】
2010137078.tif 000022
【図２１】
2010137078.tif 000023